(57)【特許請求の範囲】
【請求項１】
挿入部の先端面が処置具挿通チャンネルの出口開口部分付近を頂点とする凸面状に形成されると共に、観察窓が底部に配置されたすり鉢状の凹みが上記先端面に形成され、上記処置具挿通チャンネルの出口開口が上記すり鉢状の凹みの斜面の途中の領域から上記先端面の突端付近の領域にまたがって開口していることを特徴とする内視鏡の先端部。
【請求項２】
上記挿入部の先端面の頂点より後方位置に照明窓が配置されている請求項１記載の内視鏡の先端部。
【請求項３】
上記挿入部には、遠隔操作によって屈曲する湾曲部が設けられていない請求項１又は２記載の内視鏡の先端部。
【発明の詳細な説明】
【０００１】
【発明の属する技術分野】
この発明は、処置具挿通チャンネルにガイドワイヤを通して体内深部に挿入される内視鏡の先端部に関する。
【０００２】
【従来の技術】
いわゆる親子式内視鏡のベビースコープ等では、挿入部の先端部分をできるだけ細径にするために、遠隔操作によって屈曲する湾曲部が設けられていないものがあり、そのような内視鏡の場合、処置具挿通チャンネルにガイドワイヤを通して体内深部に案内する手法がとられる。
【０００３】
【発明が解決しようとする課題】
しかし、例えば図７に示されるように、十二指腸の壁面に位置するファーター氏乳頭１０１部分まで挿入されたベビースコープ９０の処置具挿通チャンネル９１にガイドワイヤ５０を通し、さらに膵胆管１００に差し込まれたガイドワイヤ５０を案内にしてベビースコープ９０を膵胆管１００内に挿入しようとする際に、ベビースコープ９０の先端面が膵胆管１００の入口壁にぶつかってスムーズに挿入できない場合が少なくない。
【０００４】
そこで本発明は、処置具挿通チャンネルに通されたガイドワイヤを案内にして、体内深部へ引っ掛かりなくスムーズに挿入することができる内視鏡の先端部を提供することを目的とする。
【０００５】
【課題を解決するための手段】
上記の目的を達成するため、本発明の内視鏡の先端部は、挿入部の先端面の中央寄りの位置に処置具挿通チャンネルの出口開口を形成して、上記挿入部の先端面を、上記処置具挿通チャンネルの出口開口部分付近が頂点となる凸面状に形成し、観察窓及び照明窓を上記処置具挿通チャンネルの出口開口より後方に配置したことを特徴とする。
【０００６】
なお、上記観察窓が、上記挿入部の先端面にすり鉢状に形成された凹み内に配置されていてもよい。また、上記挿入部には、遠隔操作によって屈曲する湾曲部が設けられていなくてもよい。
【０００７】
【発明の実施の形態】
図面を参照して本発明の実施の形態を説明する。
図４は、ベビースコープ１０の挿入部の先端面を示している。このベビースコープ１０は、図示されていないマザースコープのガイドチャンネルに挿通して使用される内視鏡であり、いわゆる前方視型なので、挿入部の先端面に観察窓１１と照明窓１２が配置され、それらと並んで処置具挿通チャンネル１３の出口開口１３ａが配置されている。
【０００８】
図１の上半分は図４におけるＡ−Ａ断面を示し、下半分はＢ−Ｂ断面を示している。１５は、ベビースコープ１０の挿入部可撓管であり、螺旋管の外面に網状管を被覆して形成された金属製管状体１５ａの外面に、合成樹脂製の外皮１５ｂが被覆されて構成されている。
【０００９】
挿入部可撓管１５の先端には、金属又はプラスチック製の先端部本体１４が接続筒１６を介して連結されており、接続筒１６の外周面から挿入部可撓管１５側の外周面にかけて防水チューブ１７が被覆されている。
【００１０】
なお、接続筒１６と挿入部可撓管１５の金属製管状体１５ａとは半田付け等によって固着連結され、接続筒１６と先端部本体１４とは、異なる断面を示す図２に示されるように、ピン１８によって連結されている。１９は充填シール剤である。
【００１１】
図１に戻って、処置具挿通チャンネル１３の出口開口１３ａは、先端部本体１４の先端面の中央寄りの位置に形成されていて、先端部本体１４の先端面は、処置具挿通チャンネル１３の出口開口１３ａ付近が頂点となる凸面状に形成されている。なお、稜線部分は全て滑らかな曲面状に丸められている。
【００１２】
観察窓１１は、処置具挿通チャンネル１３の出口開口１３ａより後方に配置されている。観察窓１１の奥には、前方視型の対物光学系２１が先端部本体１４に内蔵され、その対物光学系２１による被写体の結像位置に、イメージガイドファイババンドル２２の像入射端が配置されている。なお、先端部本体１４を部品単体で示す図５に示されるように、観察窓１１は、先端部本体１４の先端面にすり鉢状に形成された凹み２０内に配置されている。
【００１３】
また、図４におけるＯ−Ｃ断面を示す図３に示されるように、照明窓１２も処置具挿通チャンネル１３の出口開口１３ａより後方に配置されており、照明窓１２の奥には照明用ライトガイドファイババンドルの射出端が配置されている。
【００１４】
図６は、このように構成されたベビースコープ１０が、十二指腸の壁面に位置するファーター氏乳頭１０１部分まで挿入された状態を示しており、処置具挿通チャンネル１３にガイドワイヤ５０を通し、さらに膵胆管１００に差し込まれたガイドワイヤ５０を案内にしてベビースコープ１０を膵胆管１００内に挿入しようとしている。
【００１５】
この状態においては、先端部本体１４の先端面が凸状の形状に形成されているので、ベビースコープ１０の先端面が膵胆管１００の入口壁にぶつかってもそれがほとんど抵抗にならず、挿入部可撓管１５を手元側から押すことにより、先端部本体１４が膵胆管１００内にスムーズに挿入される。
【００１６】
また、観察窓１１と照明窓１２が、凸状に形成された先端部本体１４の突端部分より後方に配置されているので、挿入の際に先端部本体１４の先端面が粘膜に当接しても視野が確保され、内視鏡画像を観察しながら安全に膵胆管１００内に挿入することができる。
【００１７】
なお、本発明は上記実施の形態に限定されるものではなく、例えば、遠隔操作によって屈曲自在な湾曲部が挿入部の先端部分に設けられていてもよく、また、親子式のベビースコープ以外の内視鏡に適用してもよい。
【００１８】
【発明の効果】
本発明によれば、挿入部の先端面の中央寄りの位置に処置具挿通チャンネルの出口開口を形成して、挿入部の先端面を、処置具挿通チャンネルの出口開口部分付近が頂点となる凸面状に形成し、観察窓及び照明窓を処置具挿通チャンネルの出口開口より後方に配置したことにより、処置具挿通チャンネルに通されたガイドワイヤを案内にして、内視鏡の先端部を体内深部に引っ掛かりなくスムーズに挿入することができ、観察窓を挿入部の先端面にすり鉢状に形成された凹み内に配置することにより、挿入部の先端面が粘膜に当接しても視野が確保されて、内視鏡画像を観察しながら安全に挿入することができる。さらに観察窓を挿入部の先端面にすり鉢状に形成された凹み内に配置することにより、視野確保がより確実なものになる。
【図面の簡単な説明】
【図１】本発明の実施の形態の内視鏡の先端部の図４におけるＡ−ＡとＢ−Ｂによる側面断面図である。
【図２】本発明の実施の形態の内視鏡の先端部のＡ−Ａ及びＢ−Ｂと異なる断面による側面断面図である。
【図３】本発明の実施の形態の内視鏡の先端部の図４におけるＯ−Ｃによる側面断面図である。
【図４】本発明の実施の形態の内視鏡の先端部の正面図である。
【図５】本発明の実施の形態の先端部本体の部品単体の斜視図である。
【図６】本発明の実施の形態の内視鏡の先端部の使用状態を示す略示図である。
【図７】従来の内視鏡の先端部の使用状態を示す略示図である。
【符号の説明】
１１  観察窓
１２  照明窓
１３  処置具挿通チャンネル
１３ａ  出口開口
１４  先端部本体
１５  挿入部可撓管
【図１】
0004260958.tif 000002
【図２】
0004260958.tif 000003
【図３】
0004260958.tif 000004
【図４】
0004260958.tif 000005
【図５】
0004260958.tif 000006
【図６】
0004260958.tif 000007
【図７】
0004260958.tif 000008